(57)【要約】【課題】受信状態が劣化したときに、ユーザの所望のジャンル情報の番組を提供する放送局へ自動的に切替えることができるデジタル放送受信装置を提供する。【解決手段】予めユーザがリモコン２６を用いて入力した所望のジャンル情報をＲＡＭ２３に記憶する。アンテナ２が捕捉したデジタル放送波の受信状態が劣化した場合は、送信周波数リストを参照して各送信周波数のデジタル放送波を逐次受信し、受信可能なデジタル放送波を検索する。受信中のデジタル放送波と同一のサービス形式種別の番組を提供し、かつ受信可能なデジタル放送波が検索され、さらに検索されたデジタル放送波の中に、予めＲＡＭ２３に記憶されたジャンル情報の番組を提供するデジタル放送波が含まれていると判断された場合は、受信中のデジタル放送波を送信する放送局から、検索されたデジタル放送波を送信する放送局へ切替える。【選択図】      図１
2004320638.tif 000002
【特許請求の範囲】
【請求項１】
放送局から送信され、ジャンル情報を付して番組を提供するデジタル放送波を受信するデジタル放送受信装置であって、
ユーザの所望の番組のジャンル情報を入力する入力手段と、
前記入力手段に入力された前記ジャンル情報を記憶する記憶手段と、
受信中のデジタル放送波の受信状態が劣化した場合または受信中のデジタル放送波を送信する放送局が提供する番組が終了した場合に、受信中のデジタル放送波を送信する放送局から、前記記憶手段に記憶されるジャンル情報の番組を提供する放送局へ切替える切替手段とを含むことを特徴とするデジタル放送受信装置。
【請求項２】
前記記憶手段は、ユーザの所望の番組のジャンル情報を複数記憶することが可能であり、
ユーザによって、前記記憶手段に記憶される複数のジャンル情報の中から、放送局の切替え時における番組のジャンル情報が選択されて前記入力手段に入力され、
前記切替手段は、受信中のデジタル放送波を送信する放送局から、予めユーザによって前記入力手段に入力されるジャンル情報の番組を提供する放送局へ切替えることを特徴とする請求項１記載のデジタル放送受信装置。
【請求項３】
前記記憶手段に記憶されるジャンル情報の番組を提供する放送局から送信されるデジタル放送波が受信可能であるか否かを判断する判断手段を含み、
前記切替手段は、受信中のデジタル放送波を送信する放送局から、前記判断手段によって最初に受信可能であると判断されるジャンル情報の番組を提供する放送局へ切替えることを特徴とする請求項１または２記載のデジタル放送受信装置。
【請求項４】
前記判断手段によって判断される受信可能なデジタル放送波を送信する放送局が提供する番組のサービス形式種別を検索するサービス形式検索手段を含み、
少なくとも前記判断手段によって判断される受信可能なデジタル放送波を送信する放送局が提供する番組のジャンル情報、前記サービス形式検索手段によって検索されるサービス形式種別ならびに前記ジャンル情報およびサービス形式種別に基づく番組を提供する放送局に関する情報を含む番組情報の一覧をユーザに提示し、ユーザは提示される前記番組情報を参照して所望のジャンル情報およびサービス形式種別に基づく番組を提供する放送局に関する情報を選択して前記入力手段に入力し、
前記切替手段は、ユーザによって前記入力手段に入力される前記放送局に関する情報に基づいて、受信中のデジタル放送波を送信する放送局から、ユーザの所望のジャンル情報およびサービス形式種別に基づく番組を提供する放送局へ切替えることを特徴とする請求項３記載のデジタル放送受信装置。
【請求項５】
前記サービス形式検索手段によって検索されるサービス形式種別は、映像、音声およびデータ放送であることを特徴とする請求項４記載のデジタル放送受信装置。
【請求項６】
前記切替手段による放送局の切替え動作の態様がユーザに提示され、
前記入力手段は、ユーザに提示される前記切替手段による放送局の切替え動作の態様の中からいずれか１つの態様を選択する入力を受けることが可能であり、
前記切替手段は、ユーザによって前記入力手段に入力される放送局の切替え動作の態様に基づいて、放送局の切替え動作を実行することを特徴とする請求項１〜４のいずれか１つに記載のデジタル放送受信装置。
【請求項７】
前記切替手段によって、受信中のデジタル放送波を送信する放送局から、ユーザによって前記入力手段に入力されるジャンル情報の番組を提供する放送局へ切替える第１モードと、予め定める放送局から送信されるデジタル放送波のみを受信する第２モードとを切替えて実行する制御手段を含むことを特徴とする請求項１〜４のいずれか１つに記載のデジタル放送受信装置。
【請求項８】
前記切替手段は、受信中のデジタル放送波を送信する放送局が提供する番組の前記サービス形式種別とは異なるサービス形式種別の番組を提供する放送局へ切替え可能であることを特徴とする請求項４記載のデジタル放送受信装置。
【請求項９】
前記判断手段によって受信可能であると判断されるデジタル放送波の数が、予めユーザによって定められる数以上になったときに、前記判断手段による前記デジタル放送波の受信可能であるか否かの判断の実行を終了させることを特徴とする請求項４記載のデジタル放送受信装置。
【発明の詳細な説明】
【０００１】
【発明の属する技術分野】
本発明は、地上波デジタル放送および衛星デジタル放送などのデジタル放送波を受信するデジタル放送受信装置に関する。
【０００２】
【従来の技術】
アナログ信号によって映像情報および音声情報などを放送するアナログ放送に比べて高品質な映像および音声を放送可能で、かつ多機能な放送が可能なデジタル放送が普及しつつある。静止軌道の人工衛星を用いる衛星系のデジタル放送として、放送衛星（Ｂｒｏａｄｃａｓｔｉｎｇ  Ｓａｔｅｌｌｉｔｅ；略称：ＢＳ）を用いるＢＳデジタル放送および通信衛星（Ｃｏｍｍｕｎｉｃａｔｉｏｎ  Ｓａｔｅｌｌｉｔｅ；略称：ＣＳ）を用いるＣＳデジタル放送などが行われている。また、地上アンテナを用いた地上波デジタル放送が２００３年に開始される予定である。
【０００３】
デジタル放送を視聴する場合には、デジタル放送を受信するためのデジタル放送受信装置が用いられる。従来の技術において、デジタル放送受信装置を、車両などの移動体に搭載して用いる場合、移動体が移動することによって受信中のデジタル放送波を送信する送信局から遠ざかると、受信中のデジタル放送波の受信電力が小さくなり、受信状態が悪くなる。
【０００４】
デジタル放送には、欧州などで放送が行われているデジタルオーディオ放送（略称：ＤＡＢ）などがある。従来の技術では、ＤＡＢの受信中に受信状態が悪いと判断したときに、現在放送している番組と同一の番組を放送する送信局の送信周波数の検索を行い、検索して得られた送信周波数を高周波受信部の発振器に設定して、前記送信周波数へ自動的に切替える。このようにして設定した送信周波数に基づいて受信状態を判断し、さらに受信状態が悪い場合には現在放送中の番組と同一の番組を放送する他の送信局の送信周波数を設定して、前記他の送信局の送信周波数へ自動的に切替える構成になっている（たとえば、特許文献１参照）。
【０００５】
【特許文献１】
特開平１０−２００４９９号公報
【０００６】
【発明が解決しようとする課題】
前記従来の技術では、受信状態が悪いと判断したときに、現在放送している番組と同一の番組を放送する送信局の送信周波数の検索を行い、検索して得られた送信周波数を高周波受信部の発振器に設定して、前記送信周波数へ自動的に切替える。さらに、切替えた送信周波数の受信状態が悪い場合には現在放送中の番組と同一の番組を放送する他の送信局の送信周波数を設定して、前記他の送信局の送信周波数へ自動的に切替える構成になっている。前記送信周波数のいずれでも受信状態が悪い場合には、元の送信周波数に戻すようになっている。前記従来の技術は、ユーザが現在放送中の番組と異なる番組を視聴しようとする場合に、ユーザの所望の番組を放送する送信局の送信周波数に自動的に切替える構成になっていない。このような構成では、ユーザが送信周波数の検索を行い、検索して得られた送信周波数への切替え設定を手動で行わなければならないので、ユーザにとって利便性が低いという問題がある。
【０００７】
したがって本発明の目的は、受信状態が劣化したときに、ユーザの所望のジャンル情報の番組を提供する放送局へ自動的に切替えることができるデジタル放送受信装置を提供することである。
【０００８】
【課題を解決するための手段】
本発明は、放送局から送信され、ジャンル情報を付して番組を提供するデジタル放送波を受信するデジタル放送受信装置であって、
ユーザの所望の番組のジャンル情報を入力する入力手段と、
前記入力手段に入力された前記ジャンル情報を記憶する記憶手段と、
受信中のデジタル放送波の受信状態が劣化した場合または受信中のデジタル放送波を送信する放送局が提供する番組が終了した場合に、受信中のデジタル放送波を送信する放送局から、前記記憶手段に記憶されるジャンル情報の番組を提供する放送局へ切替える切替手段とを含むことを特徴とするデジタル放送受信装置である。
【０００９】
本発明に従えば、予め入力手段に入力したユーザの所望の番組のジャンル情報を記憶手段に記憶する。受信中のデジタル放送波の受信状態が劣化して、たとえば映像劣化および音声劣化などが生じ、番組の視聴が困難になった場合、または受信中のデジタル放送波を送信する放送局が提供する番組が終了した場合は、切替手段によって、受信中のデジタル放送波を送信する放送局から、ユーザによって入力手段に入力されるジャンル情報の番組を提供する放送局へ自動的に切替えられる。したがって、ユーザは、デジタル放送波の受信状態が劣化して番組の視聴が困難になった場合または受信中の番組が終了して別の番組を視聴する場合に、所望の番組を提供している放送局へ切替える設定操作を手動で行う必要がないので、操作の手間を省くことができる。これによって、ユーザは容易かつ即座に所望の番組を視聴することができ、利便性が向上する。
【００１０】
また本発明は、前記記憶手段は、ユーザの所望の番組のジャンル情報を複数記憶することが可能であり、
ユーザによって、前記記憶手段に記憶される複数のジャンル情報の中から、放送局の切替え時における番組のジャンル情報が選択されて前記入力手段に入力され、
前記切替手段は、受信中のデジタル放送波を送信する放送局から、予めユーザによって前記入力手段に入力されるジャンル情報の番組を提供する放送局へ切替えることを特徴とする。
【００１１】
本発明に従えば、切替手段によって、受信中のデジタル放送波を送信する放送局から、予めユーザによって入力手段に入力されるジャンル情報の番組を提供する放送局へ自動的に切替えられる。したがって、ユーザは、所望の番組を提供している放送局へ切替える設定操作を手動で行う必要がないので、操作の手間を省くことができる。また、切替手段は、受信中のデジタル放送波を送信する放送局から、予めユーザによって入力手段に入力されるジャンル情報の番組を提供する放送局へ切替えるだけでよいので、比較的短時間に放送局の切替えを行うことができる。これによって、ユーザは容易かつ即座に所望の番組を視聴することができ、利便性が向上する。
【００１２】
また本発明は、前記記憶手段に記憶されるジャンル情報の番組を提供する放送局から送信されるデジタル放送波が受信可能であるか否かを判断する判断手段を含み、
前記切替手段は、受信中のデジタル放送波を送信する放送局から、前記判断手段によって最初に受信可能であると判断されるジャンル情報の番組を提供する放送局へ切替えることを特徴とする。
【００１３】
本発明に従えば、記憶手段に記憶されるジャンル情報の番組を提供する放送局から送信されるデジタル放送波が受信可能であるか否かが、判断手段によって逐次判断される。判断手段によって前記デジタル放送波が受信可能であると判断された場合は、判断手段によって最初に受信可能であると判断されたジャンル情報の番組を提供する放送局へ、切替手段によって自動的に切替えられる。前述のように、判断手段によって最初に受信可能であると判断されたジャンル情報の番組を提供する放送局へ自動的に切替えられるので、比較的短時間に放送局の切替えを行うことができる。これによって、ユーザは即座に所望の番組を視聴することができ、利便性が向上する。
【００１４】
また本発明は、前記判断手段によって判断される受信可能なデジタル放送波を送信する放送局が提供する番組のサービス形式種別を検索するサービス形式検索手段を含み、
少なくとも前記判断手段によって判断される受信可能なデジタル放送波を送信する放送局が提供する番組のジャンル情報、前記サービス形式検索手段によって検索されるサービス形式種別ならびに前記ジャンル情報およびサービス形式種別に基づく番組を提供する放送局に関する情報を含む番組情報の一覧をユーザに提示し、ユーザは提示される前記番組情報を参照して所望のジャンル情報およびサービス形式種別に基づく番組を提供する放送局に関する情報を選択して前記入力手段に入力し、
前記切替手段は、ユーザによって前記入力手段に入力される前記放送局に関する情報に基づいて、受信中のデジタル放送波を送信する放送局から、ユーザの所望のジャンル情報およびサービス形式種別に基づく番組を提供する放送局へ切替えることを特徴とする。
【００１５】
本発明に従えば、サービス形式検索手段は、判断手段によって判断される受信可能なデジタル放送波を送信する放送局が提供する番組のサービス形式種別を検索する。少なくとも判断手段によって判断される受信可能なデジタル放送波を送信する放送局が提供する番組のジャンル情報、サービス形式検索手段によって検索されるサービス形式種別ならびにジャンル情報およびサービス形式種別に基づく番組を提供する放送局に関する情報を含む番組情報の一覧が、ユーザに提示される。ユーザは提示される前記番組情報を参照して、所望のジャンル情報およびサービス形式種別に基づく番組を提供する放送局に関する情報を選択して入力手段に入力する。切替手段は、ユーザによって入力手段に入力される前記放送局に関する情報に基づいて、受信中のデジタル放送波を送信する放送局から、ユーザの所望のジャンル情報およびサービス形式種別に基づく番組を提供する放送局へ切替える。
【００１６】
前述のように、番組情報の一覧がユーザに提示されるので、ユーザは、所望のジャンル情報およびサービス形式種別に基づく番組を提供する放送局に関する情報を選択して入力手段に入力することができる。したがって、ユーザは簡単な入力操作を行うだけで、所望のジャンル情報およびサービス形式に基づく番組を提供する放送局に自動的に切替えられるので、容易に所望の番組を視聴することができる。
【００１７】
また本発明は、前記サービス形式検索手段によって検索されるサービス形式種別は、映像、音声およびデータ放送であることを特徴とする。
【００１８】
本発明に従えば、サービス形式検索手段によって検索されるサービス形式種別は、映像、音声およびデータ放送であり、これらの放送形態の一覧がユーザに提示される。ユーザが、提示される映像、音声およびデータ放送の放送形態の中から所望の放送形態の番組を提供する放送局に関する情報を選択して入力手段に入力すると、ユーザによって入力手段に入力される前記放送局に関する情報に基づいて、切替手段によって、受信中のデジタル放送波を送信する放送局から、ユーザの所望の放送形態の番組を提供する放送局へ切替えられる。前述のように、サービス形式検索手段によって検索される映像、音声およびデータ放送の放送形態の一覧がユーザに提示されるので、ユーザは、提示される映像、音声およびデータ放送の放送形態の中から所望の放送形態を選択して入力手段に入力することができる。したがって、ユーザは簡単な入力操作を行うだけで、所望の放送形態の番組を提供する放送局に自動的に切替えられるので、容易に所望の放送形態の番組を視聴することができる。
【００１９】
また本発明は、前記切替手段による放送局の切替え動作の態様がユーザに提示され、
前記入力手段は、ユーザに提示される前記切替手段による放送局の切替え動作の態様の中からいずれか１つの態様を選択する入力を受けることが可能であり、
前記切替手段は、ユーザによって前記入力手段に入力される放送局の切替え動作の態様に基づいて、放送局の切替え動作を実行することを特徴とする。
【００２０】
本発明に従えば、ユーザによって入力手段から放送局の切替え動作の態様が入力されると、前記放送局の切替え動作の態様に基づいて、切替手段によって放送局の切替え動作が実行される。したがって、ユーザは簡単な入力操作を行うだけで、所望の切替え動作の態様に基づく放送局の切替えを容易に実行することができる。
【００２１】
また本発明は、前記切替手段によって、受信中のデジタル放送波を送信する放送局から、ユーザによって前記入力手段に入力されるジャンル情報の番組を提供する放送局へ切替える第１モードと、予め定める放送局から送信されるデジタル放送波のみを受信する第２モードとを切替えて実行する制御手段を含むことを特徴とする。
【００２２】
本発明に従えば、第１モードと第２モードとを切替えてそれぞれの動作を実行する。第１モードでは、切替手段によって、ユーザによって入力手段に入力されるジャンル情報の番組を提供する放送局へ切替える。また、第２モードでは、放送局の切替えを行わずに、予め定める放送局から送信されるデジタル放送波のみを受信する。このように、デジタル放送受信装置は、２種類のモードを、目的に応じて切替えて使うことができ、利便性が向上する。
【００２３】
また本発明は、前記切替手段は、受信中のデジタル放送波を送信する放送局が提供する番組の前記サービス形式種別とは異なるサービス形式種別の番組を提供する放送局へ切替え可能であることを特徴とする。
【００２４】
本発明に従えば、切替手段は、受信中のデジタル放送波を送信する放送局が提供する番組のサービス形式種別とは異なるサービス形式種別の番組を提供する放送局へ切替えることができる。したがって、受信中の番組と同一のジャンル情報で、かつサービス形式種別が異なる番組が他の放送局から提供されており、前記他の放送局から送信されるデジタル放送波を受信可能な場合には、切替手段によって、前記サービス形式種別が異なる番組を提供している他の放送局へ切替えることができる。これによって、ユーザは受信中の番組と同一のジャンル情報で、かつサービス形式種別が異なる番組を視聴することができ、利便性が向上する。
【００２５】
また本発明は、前記判断手段によって受信可能であると判断されるデジタル放送波の数が、予めユーザによって定められる数以上になったときに、前記判断手段による前記デジタル放送波の受信可能であるか否かの判断の実行を終了させることを特徴とする。
【００２６】
本発明に従えば、記憶手段に記憶されるジャンル情報の番組を提供する放送局から送信されるデジタル放送波のうち、前記判断手段によって受信可能であると判断される前記デジタル放送波の数が、予めユーザによって定められる数以上になったときに、前記判断手段による前記デジタル放送波の受信可能であるか否かの判断の実行を終了させる。前述のように、判断手段によって受信可能であると判断されるデジタル放送波の数の最大数を予め設定しておくことによって、判断手段による受信可能であるか否かの判断時間を短縮することができ、比較的短時間に放送局の切替えを行うことができる。これによって、ユーザは即座に新たな番組を視聴することができる。
【００２７】
【発明の実施の形態】
図１は、本発明の実施の一形態であるデジタル放送受信装置１の電気的構成を示すブロック図である。デジタル放送受信装置１は、放送局から送信されるデジタル放送波、たとえば地上波デジタル放送および衛星デジタル放送などのデジタル放送波を受信する。デジタル放送受信装置１は、所定の場所に固定して用いられてもよいし、たとえば車両などの移動体に搭載して用いられてもよい。
【００２８】
デジタル放送では、たとえば複数のテレビジョンの映像および音声などの信号が、１つの信号にまとめられて送信される。信号を送信するときには、ＭＰＥＧ（Ｍｏｖｉｎｇ  Ｐｉｃｔｕｒｅ  Ｅｘｐｅｒｔｓ  Ｇｒｏｕｐ）によって国際的に策定されているカラー動画像圧縮技術のうち、ＭＰＥＧ２と呼ばれる画像圧縮技術が用いられる。ＭＰＥＧ２では、符号化された映像および音声などをパケット化し、伝送に適した固定長のＴＳ（Ｔｒａｎｓｐｏｒｔ  Ｓｔｒｅａｍ）信号の形式で、１つの信号として送信する。
【００２９】
ＴＳ信号は、サービス情報（Ｓｅｒｖｉｃｅ  Ｉｎｆｏｒｍａｔｉｏｎ；略称：ＳＩ）およびプログラム仕様情報（Ｐｒｏｇｒａｍ  Ｓｐｅｃｉｆｉｃ  Ｉｎｆｏｒｍａｔｉｏｎ；略称：ＰＳＩ）などの番組の内容に関する情報を含む番組とその番組を構成しているデータとの関係を示すテーブル情報を含む。番組を構成しているデータとしては、テレビジョン放送用の映像、テレビジョンおよびラジオ放送用の音声ならびにデータ放送用のデータが含まれる。
【００３０】
デジタル放送受信装置１は、アンテナ２、受信機３、スピーカ４、メインディスプレイ５、サブディスプレイ６を含んで構成される。受信機３は、チューナ１１、復調部１２、ＴＳ（Ｔｒａｎｓｐｏｒｔ  Ｓｔｒｅａｍ）デコード１３、音声デコード１４、映像デコード１５、提示処理部１６、システムバス２０、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、Ｉ／Ｏ（Ｉｎｐｕｔ／Ｏｕｔｐｕｔ）２４およびモデム２５を含んで構成される。
【００３１】
アンテナ２は、放送衛星（Ｂｒｏａｄｃａｓｔｉｎｇ  Ｓａｔｅｌｌｉｔｅ；略称：ＢＳ）、通信衛星（Ｃｏｍｍｕｎｉｃａｔｉｏｎ  Ｓａｔｅｌｌｉｔｅ；略称：ＣＳ）および地上アンテナから送信されるデジタル放送波を捕捉する。受信機３は、デジタル放送される各番組の映像データおよび音声データをそれぞれ抽出し、抽出した映像データおよび音声データによって、映像と音声を同期させて、番組の映像を表示するとともに番組の音声を出力する。
【００３２】
スピーカ４は、後述する音声デコード１４によって生成される音声信号を受け取って音声に変換し、変換した音声を出力する。メインディスプレイ５およびサブディスプレイ６は、後述する映像デコード１５によって生成される映像信号に基づいて映像を表示する。デジタル放送受信装置１が、車両などの移動体に搭載されて用いられる場合、たとえばメインディスプレイ５は車両の前方の座席側に配置され、サブディスプレイ６は車両の後方の座席側に配置される。
【００３３】
チューナ１１は、アンテナ２が捕捉した複数のデジタル放送波から１つのチャンネルのデジタル放送波を選択して受信する。復調部１２は、選択したチャンネルのデジタル放送波を復調する。ＴＳデコード１３は、ＴＳ信号に多重化されている映像および音声などの情報を抽出する。
【００３４】
音声デコード１４は、デジタル放送される番組の音声をスピーカ４から出力するために、番組信号から抽出された音声データを含む信号を複合化して音声信号を生成する。映像デコード１５は、デジタル放送される番組の映像をメインディスプレイ５およびサブディスプレイ６に表示するために、番組信号から抽出された映像データを含む信号を復号化して映像信号を生成する。提示処理部１６は、映像デコード１５によって生成される映像データに対して画像処理を施すとともに、後述するＣＰＵ２１から出力される表示に関する信号を受けてメインディスプレイ５およびサブディスプレイ６を制御する。
【００３５】
システムバス２０は、チューナ１１、復調部１２、ＴＳデコード１３、映像デコード１５、提示処理部１６、ＣＰＵ２１、ＲＯＭ２２、ＲＡＭ２３、Ｉ／Ｏ（Ｉｎｐｕｔ／Ｏｕｔｐｕｔ）２４およびモデム２５と接続しており、これらの間でデータを伝達する。
【００３６】
ＣＰＵ２１は、後述するＲＯＭ２２に予め記憶されるプログラムに基づいて、受信機３を構成する上記のチューナ１１、復調部１２、ＴＳデコード１３、音声デコード１４、映像デコード１５、提示処理部１６、システムバス２０、ＣＰＵ２１、ＲＯＭ２２、ＲＡＭ２３、Ｉ／Ｏ（Ｉｎｐｕｔ／Ｏｕｔｐｕｔ）２４およびモデム２５を含むハードウェア資源を制御する。またＣＰＵ２１は、切替え手段、判断手段、サービス形式検索手段および制御手段である。
【００３７】
ＲＯＭ２２には、受信機３を制御するためのプログラムが記憶される。ＲＡＭ２３は、ＣＰＵ２１によって演算処理された結果を一時的に記憶する記憶手段である。ＲＡＭ２３には、ユーザによって後述するリモコン２６を用いて入力されるジャンル情報、たとえばニュース、スポーツ、音楽、ドラマおよびバラエティなどの番組の種類を示す情報が記憶される。
【００３８】
Ｉ／Ｏ２４は、システムバス２０を介してユーザの指示をＣＰＵ２１に伝える入出力インターフェースであって、ユーザによって後述するリモコン２６が操作されたときに、ユーザの指令に応じた指令信号を出力し、出力した指令信号をＣＰＵ２１に与える。
【００３９】
システムバス２０には、モデム２５が接続され、モデム２５を介して外部の公衆電話回線などと接続することができ、インターネットなどの通信回線に接続されるネットワークにアクセスすることができる。リモコン２６は、無線通信によって受信機３に指令を送るための遠隔操作を行う入力手段である。
【００４０】
チューナ１１は、アンテナ２が捕捉したデジタル放送波の中から、表示すべき番組が含まれるデジタル放送波を受信し、受信したデジタル放送波を復調部１２に与える。復調部１２は、チューナ１１から与えられたデジタル放送波を復調し、復調した信号をＴＳデコード１３に与える。ＴＳデコード１３は、復調部１２によって復調された信号に多重化されている表示すべき番組の番組信号を抽出し、抽出した番組信号を音声デコード１４および映像デコード１５に与える。音声デコード１４は、ＴＳデコード１３から与えられた番組信号から音声データを生成し、映像デコード１５は、ＴＳデコード１３から与えられた番組信号から映像データを生成し、提示処理部１６に与える。
【００４１】
提示処理部１６は、映像デコード１５から与えられた映像データに対して画像処理を施す。提示処理部１６は、ＣＰＵ２１から送信される表示に関する信号に基づいて番組の映像と音声とが同期するように、画像処理が施された映像をメインディスプレイ５およびサブディスプレイ６に表示させる。スピーカ４は、音声デコード１４から与えられた音声信号を音声に変換し、変換した音声を出力する。
【００４２】
デジタル放送には、電子番組ガイド（Ｅｌｅｃｔｒｏｎｉｃ  Ｐｒｏｇｒａｍ  Ｇｕｉｄｅ；略称：ＥＰＧ）機能が存在し、放送局から提供される番組をユーザが選別する便宜を図っている。すなわち、ＥＰＧは、番組を選択するという行為を補助するために放送局から提供されるサービスであり、ユーザは、これまで新聞や雑誌を参照して行っていた視聴および録画などの対象となる番組の選択をテレビジョンの画面上で行うことが可能になる。
【００４３】
ＥＰＧ機能は、ＴＳ信号に含まれるＳＩによって伝送されるテキスト情報に基づいて実現される。テキスト情報には、番組表および番組案内情報が含まれる。番組表には、チャンネル、開始時刻、継続時間、番組名およびジャンル情報などが含まれる。ジャンル情報は、たとえばニュース、スポーツ、音楽、ドラマおよびバラエティなどの番組の種類を示す情報である。番組案内情報には、出演者および作者などが含まれる。
【００４４】
図２は、デジタル放送受信装置１におけるユーザの操作に対する操作処理の一例を示すフローチャートである。なお、デジタル放送受信装置１におけるユーザの操作に対する操作処理は、ユーザによる操作が行われたときに実行される。
【００４５】
ステップａ１では、ユーザによってジャンル情報の設定操作が行われたか否かを、入力信号に基づいて判断する。ステップａ１において、ユーザによってジャンル情報の設定操作が行われたと判断したときは、ステップａ２に進む。ステップａ１において、ユーザによってジャンル情報の設定操作が行われていないと判断したときは、ステップａ３に進む。
【００４６】
ステップａ２では、ユーザによって入力された１つの所望のジャンル情報をＲＡＭ２３に記憶し、処理を終了する。ステップａ３では、ユーザによって受信放送局の設定操作が行われたか否かを、入力信号に基づいて判断する。
【００４７】
ステップａ３において、ユーザによって受信放送局の設定操作が行われたと判断したときは、ステップａ４に進む。ステップａ３において、ユーザによって受信放送局の設定操作が行われていないと判断したときは、ステップａ５に進む。
【００４８】
ステップａ４では、ユーザが送信周波数リストを参照して設定操作した放送局を受信するような受信回路の設定を行い、所望のデジタル放送波を受信する状態にして、処理を終了する。ステップａ５では、ユーザの操作に応じたその他の処理を行い、処理を終了する。
【００４９】
送信周波数リストは、各放送局の送信周波数の一覧であり、たとえば地上波デジタルテレビジョン放送の周波数帯域として用いられるＵＨＦ（Ｕｌｔｒａ  Ｈｉｇｈ  Ｆｒｅｑｕｅｎｃｙ）帯のチャンネル番号に対応する送信周波数の一覧でもよいし、地域ごとに割当てられている各放送局のチャンネル番号に対応する送信周波数の一覧でもよい。デジタル放送を視聴する地域が所定の地域に限られている場合には、予めその地域の放送局の送信周波数を取得し、送信周波数リストを作成してＲＯＭ２２に記憶しておいてもよいし、車両などの移動体に搭載され、デジタル放送を視聴する地域が固定されていない場合には、たとえばＧＰＳ（Ｇｌｏｂａｌ  Ｐｏｓｉｔｉｏｎｉｎｇ  Ｓｙｓｔｅｍ）などの位置情報取得装置と連動して、ＧＰＳから得られる現在位置に基づいて、その地域の各放送局の送信周波数を取得して周波数リストを作成するようにしてもよい。そして、ユーザはこの送信周波数リストを参照して、受信するデジタル放送波の設定などを行う。
【００５０】
前述のように図２に示すフローチャートに従った処理などによって、デジタル放送波を受信した後に、後述する図３に示すフローチャートの手順に従って放送局の切替え動作が、デジタル放送波の受信中繰返し行われる。
【００５１】
図３は、デジタル放送受信装置１における放送局の切替え動作の一例を示すフローチャートである。ステップｂ１では、放送局から送信されるデジタル放送波の受信状態およびデジタル放送波を送信する放送局の番組の放送状態を監視する。ステップｂ２では、デジタル放送波の受信状態が劣化して、たとえば映像劣化および音声劣化が生じたか否かまたは受信中のデジタル放送波を送信する放送局が提供する番組が終了したか否かを判断する。
【００５２】
ステップｂ２において、デジタル放送波の受信状態が劣化していないと判断し、かつ受信中のデジタル放送波を送信する放送局が提供する番組が終了していないと判断したときは、ステップｂ１に戻る。ステップｂ２において、デジタル放送波の受信状態が劣化または受信中のデジタル放送波を送信する放送局が提供する番組が終了したと判断したときは、ステップｂ３に進む。
【００５３】
ステップｂ３では、送信周波数リストを参照して各送信周波数のデジタル放送波を逐次受信し、受信可能なデジタル放送波を検索する。検索中は、たとえば「受信可能なデジタル放送波を検索中です」などのメッセージを、メインディスプレイ５およびサブディスプレイ６に表示することによって、検索中であることをユーザに提示する。
【００５４】
ステップｂ４では、受信中のデジタル放送波と同一のサービス形式種別の番組を提供し、かつ受信可能なデジタル放送波が検索されたか否かを判断する。ここで、サービス形式種別は、たとえば映像を放送するテレビジョン放送、音声を放送するラジオ放送およびデータを放送するデータ放送などの放送形態である。
【００５５】
ステップｂ４において、受信中のデジタル放送波と同一のサービス形式種別の番組を提供するデジタル放送波が検索されないと判断したとき、または受信可能なデジタル放送波が検索されないと判断したときは、ステップｂ５に進む。ステップｂ４において、受信中のデジタル放送波と同一のサービス形式種別の番組を提供し、かつ受信可能なデジタル放送波が検索されたと判断したときは、ステップｂ６に進む。
【００５６】
ステップｂ５では、元のデジタル放送波を送信する放送局へ戻して、ステップｂ８に進む。ステップｂ６では、ステップｂ４において検索された、受信中のデジタル放送波と同一のサービス形式種別の番組を提供し、かつ受信可能なデジタル放送波の中に、予めＲＡＭ２３に記憶されたジャンル情報の番組を提供するデジタル放送波が含まれているか否かを判断する。
【００５７】
ステップｂ６において、前述のステップｂ４において検索されたデジタル放送波の中に、予めＲＡＭ２３に記憶されたジャンル情報の番組を提供するデジタル放送波が含まれていないと判断したときは、ステップｂ３に戻り、前述と同様の処理を繰返し行う。
【００５８】
ステップｂ６において、前述のステップｂ４において検索されたデジタル放送波の中に、予めＲＡＭ２３に記憶されたジャンル情報の番組を提供するデジタル放送波が含まれていると判断したときは、ステップｂ７に進む。
【００５９】
ステップｂ７では、ＣＰＵ２１は、受信中のデジタル放送波を送信する放送局から、前記検索されたデジタル放送波であって、前記ジャンル情報の番組を提供するデジタル放送波を送信する放送局へ切替える。ステップｂ８では、切替え先の放送局から送信されるデジタル放送波を受信し、放送局から提供される前記ジャンル情報の番組をメインディスプレイ５およびサブディスプレイ６に表示して、処理を終了する。
【００６０】
前述のように本実施形態によれば、予めユーザによって所望の番組のジャンル情報が入力され、入力された前記ジャンル情報がＲＡＭ２３に記憶される。受信中のデジタル放送波の受信状態が劣化、たとえば映像劣化および音声劣化などが生じて番組の視聴が困難になった場合、または受信中のデジタル放送波を送信する放送局が提供する番組が終了した場合は、送信周波数リストを参照して各送信周波数のデジタル放送波を逐次受信し、受信可能なデジタル放送波を検索する。
【００６１】
受信中のデジタル放送波と同一のサービス形式種別の番組を提供し、かつ受信可能なデジタル放送波が検索され、さらに検索されたデジタル放送波の中に、予めユーザによって入力されたジャンル情報の番組を提供するデジタル放送波が含まれている場合には、ＣＰＵ２１によって、受信中のデジタル放送波を送信する放送局から、ユーザによって入力されたジャンル情報の番組を提供するデジタル放送波を送信する放送局へ自動的に切替えられる。
【００６２】
したがって、ユーザは、受信状態が劣化して番組の視聴が困難になった場合または受信中の番組が終了して別の番組を視聴する場合に、所望の番組を提供している放送局へ切替える設定操作を手動で行う必要がないので、操作の手間を省くことができる。これによって、ユーザは容易かつ即座に所望の番組を視聴することができ、利便性が向上する。
【００６３】
図４は、デジタル放送受信装置１におけるユーザの操作に対する操作処理の一例を示すフローチャートである。なお、デジタル放送受信装置１におけるユーザの操作に対する操作処理は、ユーザによる操作が行われたときに実行される。
【００６４】
ステップｃ１では、ユーザによってジャンル情報の設定操作が行われたか否かを、入力信号に基づいて判断する。ステップｃ１において、ユーザによってジャンル情報の設定操作が行われたと判断したときは、ステップｃ２に進む。ステップｃ１において、ユーザによってジャンル情報の設定操作が行われていないと判断したときは、ステップｃ３に進む。
【００６５】
ステップｃ２では、ユーザによって入力された複数の所望のジャンル情報の一覧表（以下、「ジャンル情報テーブル」と表記する場合がある）を作成してＲＡＭ２３に記憶し、処理を終了する。ステップｃ３では、ユーザによってジャンル情報の選択入力操作が行われたか否かを、入力信号に基づいて判断する。
【００６６】
ステップｃ３において、ユーザによってジャンル情報の選択入力操作が行われたと判断したときは、ステップｃ４に進む。ステップｃ３において、ユーザによってジャンル情報の選択入力操作が行われていないと判断したときは、ステップｃ５に進む。
【００６７】
ステップｃ４では、ユーザによって入力された１つの所望のジャンル情報をＲＡＭ２３に記憶し、処理を終了する。ステップｃ５では、ユーザによって受信放送局の設定操作が行われたか否かを、入力信号に基づいて判断する。
【００６８】
ステップｃ５において、ユーザによって受信放送局の設定操作が行われたと判断したときは、ステップｃ６に進む。ステップｃ５において、ユーザによって受信放送局の設定操作が行われていないと判断したときは、ステップｃ７に進む。
【００６９】
ステップｃ６では、ユーザが送信周波数リストを参照するなどして設定操作した放送局を受信するような受信回路の設定を行い、所望のデジタル放送波を受信する状態にして、処理を終了する。ステップｃ７では、ユーザの操作に応じたその他の処理を行い、処理を終了する。
【００７０】
前述のように図４に示すフローチャートに従った処理などによって、デジタル放送波を受信した後に、後述する図５に示すフローチャートの手順に従って放送局の切替え動作が、デジタル放送波の受信中繰返し行われる。
【００７１】
図５は、デジタル放送受信装置１における放送局の切替え動作の一例を示すフローチャートである。ステップｄ１では、放送局から送信されるデジタル放送波の受信状態およびデジタル放送波を送信する放送局の番組の放送状態を監視する。ステップｄ２では、デジタル放送波の受信状態が劣化して、たとえば映像劣化および音声劣化が生じたか否かまたは受信中のデジタル放送波を送信する放送局が提供する番組が終了したか否かを判断する。
【００７２】
ステップｄ２において、デジタル放送波の受信状態が劣化していないと判断し、かつ受信中のデジタル放送波を送信する放送局が提供する番組が終了していないと判断したときは、ステップｄ１に戻る。ステップｄ２において、デジタル放送波の受信状態が劣化または受信中のデジタル放送波を送信する放送局が提供する番組が終了したと判断したときは、ステップｄ３に進む。
【００７３】
ステップｄ３では、送信周波数リストを参照して各送信周波数のデジタル放送波を逐次受信し、受信可能なデジタル放送波を検索する。検索中は、たとえば「受信可能なデジタル放送波を検索中です」などのメッセージを、メインディスプレイ５およびサブディスプレイ６に表示することによって、検索中であることをユーザに提示する。
【００７４】
ステップｄ４では、受信中のデジタル放送波と同一のサービス形式種別の番組を提供し、かつ受信可能なデジタル放送波が検索されたか否かを判断する。ここで、サービス形式種別は、たとえば映像を放送するテレビジョン放送、音声を放送するラジオ放送およびデータを放送するデータ放送などの放送形態である。
【００７５】
ステップｄ４において、受信中のデジタル放送波と同一のサービス形式種別の番組を提供するデジタル放送波が検索されないと判断したとき、または受信可能なデジタル放送波が検索されないと判断したときは、ステップｄ５に進む。ステップｄ４において、受信中のデジタル放送波と同一のサービス形式種別の番組を提供し、かつ受信可能なデジタル放送波が検索されたと判断したときは、ステップｄ６に進む。
【００７６】
ステップｄ５では、元のデジタル放送波を送信する放送局へ戻して、ステップｄ８に進む。ステップｄ６では、前述のステップｄ４において検索された、受信中のデジタル放送波と同一のサービス形式種別の番組を提供し、かつ受信可能なデジタル放送波の中に、予めユーザによって選択および入力され、かつＲＡＭ２３に記憶されたジャンル情報の番組を提供するデジタル放送波が含まれているか否かを判断する。
【００７７】
ステップｄ６において、前述のステップｄ４において検索されたデジタル放送波の中に、予めユーザによって選択され、かつＲＡＭ２３に記憶されたジャンル情報の番組を提供するデジタル放送波が含まれていないと判断したときは、ステップｄ３に戻り、前述と同様の処理を繰返し行う。
【００７８】
ステップｄ６において、前述のステップｄ４において検索されたデジタル放送波の中に、予めユーザによって選択され、かつＲＡＭ２３に記憶されたジャンル情報の番組を提供するデジタル放送波が含まれていると判断したときは、ステップｄ７に進む。
【００７９】
ステップｄ７では、ＣＰＵ２１は、受信中のデジタル放送波を送信する放送局から、前記検索されたデジタル放送波であって、前記ジャンル情報の番組を提供するデジタル放送波を送信する放送局へ切替える。ステップｄ８では、切替え先の放送局から送信されるデジタル放送波を受信し、放送局から提供される前記ジャンル情報の番組をメインディスプレイ５およびサブディスプレイ６に表示して、処理を終了する。
【００８０】
前述のように本実施形態によれば、予めユーザはリモコン２６を用いて、所望の番組のジャンル情報を複数入力する。入力された複数のジャンル情報に基づいてジャンル情報テーブルが作成され、ＲＡＭ２３に記憶される。またユーザは、ジャンル情報テーブルを参照して、放送局の切替え時における番組のジャンル情報を１つ選択し、選択したジャンル情報を、リモコン２６を用いて入力する。ユーザによって選択され、入力された前記ジャンル情報は、ＲＡＭ２３に記憶される。受信中のデジタル放送波の受信状態が劣化、たとえば映像劣化および音声劣化などが生じて番組の視聴が困難になった場合、または受信中のデジタル放送波を送信する放送局が提供する番組が終了した場合は、送信周波数リストを参照して各送信周波数のデジタル放送波を逐次受信し、受信可能なデジタル放送波を検索する。
【００８１】
受信中のデジタル放送波と同一のサービス形式種別の番組を提供し、かつ受信可能なデジタル放送波が検索され、さらに検索されたデジタル放送波の中に、予めユーザによって入力されたジャンル情報の番組を提供するデジタル放送波が含まれている場合には、ＣＰＵ２１によって、受信中のデジタル放送波を送信する放送局から、予めユーザによって入力されたジャンル情報の番組を提供するデジタル放送波を送信する放送局へ自動的に切替えられる。
【００８２】
また、ＣＰＵ２１は、受信中のデジタル放送波を送信する放送局から、予めユーザによって入力されるジャンル情報の番組を提供する放送局へ切替えるだけでよいので、比較的短時間に放送局の切替えを行うことができる。これによって、ユーザは容易かつ即座に所望の番組を視聴することができ、利便性が向上する。
【００８３】
前述の図４に示すフローチャートのステップｃ１、ステップｃ２およびステップｃ３に従ってデジタル放送波を受信した後に、後述する図６に示すフローチャートの手順に従って放送局の切替え動作を行う。図６は、デジタル放送受信装置１における放送局の切替え動作の一例を示すフローチャートである。
【００８４】
ステップｅ１では、放送局から送信されるデジタル放送波の受信状態およびデジタル放送波を送信する放送局の番組の放送状態を監視する。ステップｅ２では、デジタル放送波の受信状態が劣化して、たとえば映像劣化および音声劣化が生じたか否かまたは受信中のデジタル放送波を送信する放送局が提供する番組が終了したか否かを判断する。
【００８５】
ステップｅ２において、デジタル放送波の受信状態が劣化していないと判断し、かつ受信中のデジタル放送波を送信する放送局が提供する番組が終了していないと判断したときは、ステップｅ１に戻る。ステップｅ２において、デジタル放送波の受信状態が劣化または受信中のデジタル放送波を送信する放送局が提供する番組が終了したと判断したときは、ステップｅ３に進む。
【００８６】
ステップｅ３では、送信周波数リストを参照して各送信周波数のデジタル放送波を逐次受信し、受信可能なデジタル放送波を検索する。検索中は、たとえば「受信可能なデジタル放送波を検索中です」などのメッセージを、メインディスプレイ５およびサブディスプレイ６に表示することによって、検索中であることをユーザに提示する。
【００８７】
ステップｅ４では、受信中のデジタル放送波と同一のサービス形式種別の番組を提供し、かつ受信可能なデジタル放送波が検索されたか否かを判断する。ここで、サービス形式種別は、たとえば映像を放送するテレビジョン放送、音声を放送するラジオ放送およびデータを放送するデータ放送などの放送形態である。
【００８８】
ステップｅ４において、受信中のデジタル放送波と同一のサービス形式種別の番組を提供するデジタル放送波が検索されないと判断したとき、または受信可能なデジタル放送波が検索されないと判断したときは、ステップｅ５に進む。ステップｅ４において、受信中のデジタル放送波と同一のサービス形式種別の番組を提供し、かつ受信可能なデジタル放送波が検索されたと判断したときは、ステップｅ６に進む。
【００８９】
ステップｅ５では、元のデジタル放送波を送信する放送局へ戻して、ステップｅ８に進む。ステップｅ６では、前述のステップｅ４において検索された、受信中のデジタル放送波と同一のサービス形式種別の番組を提供し、かつ受信可能なデジタル放送波の中に、予めＲＡＭ２３に記憶されたジャンル情報テーブルのいずれかのジャンル情報の番組を提供するデジタル放送波が含まれているか否かを判断する。
【００９０】
ステップｅ６において、前述のステップｅ４において検索されたデジタル放送波の中に、予めＲＡＭ２３に記憶されたジャンル情報テーブルのいずれかのジャンル情報の番組を提供するデジタル放送波が含まれていないと判断したときは、ステップｅ３に戻り、前述と同様の処理を繰返し行う。
【００９１】
ステップｅ６において、前述のステップｅ４において検索されたデジタル放送波の中に、予めＲＡＭ２３に記憶されたジャンル情報テーブルのいずれかのジャンル情報の番組を提供するデジタル放送波が含まれていると判断したときは、ステップｅ７に進む。
【００９２】
ステップｅ７では、ＣＰＵ２１は、受信中のデジタル放送波を送信する放送局から、前記検索されたデジタル放送波であって、前記ジャンル情報の番組を提供するデジタル放送波を送信する放送局へ切替える。ステップｅ８では、切替え先の放送局から送信されるデジタル放送波を受信し、放送局から提供される前記ジャンル情報の番組をメインディスプレイ５およびサブディスプレイ６に表示して、処理を終了する。
【００９３】
前述のように本実施形態によれば、予めユーザはリモコン２６を用いて、所望の番組のジャンル情報を複数入力する。入力された複数のジャンル情報に基づいてジャンル情報テーブルが作成され、ＲＡＭ２３に記憶される。受信中のデジタル放送波の受信状態が劣化、たとえば映像劣化および音声劣化などが生じて番組の視聴が困難になった場合、または受信中のデジタル放送波を送信する放送局が提供する番組が終了した場合は、送信周波数リストを参照して各送信周波数のデジタル放送波を逐次受信し、受信可能なデジタル放送波を検索する。
【００９４】
受信中のデジタル放送波と同一のサービス形式種別の番組を提供し、かつ受信可能なデジタル放送波が検索され、さらに検索されたデジタル放送波の中に、予めユーザによって入力され、かつＲＡＭ２３に記憶されたジャンル情報の番組を提供するデジタル放送波が含まれている場合には、ＣＰＵ２１によって、受信中のデジタル放送波を送信する放送局から、予めユーザによって入力され、かつＲＡＭ２３に記憶されたジャンル情報の番組を提供するデジタル放送波を送信する放送局へ自動的に切替えられる。
【００９５】
したがって、ユーザは、所望の番組を提供している放送局へ切替える設定操作を手動で行う必要がないので、操作の手間を省くことができる。これによって、ユーザは容易かつ即座に所望の番組を視聴することができ、利便性が向上する。
【００９６】
また、ステップｅ４において検索されたデジタル放送波の中に、予めユーザによって入力され、かつＲＡＭ２３に記憶されたジャンル情報の番組を提供するデジタル放送波が含まれているか否かを検索するときの検索対象を、ＲＡＭ２３に記憶されるジャンル情報テーブルに含まれるすべてのジャンル情報とすることによって、前述のデジタル放送波が検索される可能性が高まる。
【００９７】
図７は、デジタル放送受信装置１におけるユーザの操作に対する操作処理の一例を示すフローチャートである。なお、デジタル放送受信装置１におけるユーザの操作に対する操作処理は、ユーザによる操作が行われたときに実行される。
【００９８】
ステップｆ１では、ユーザによってジャンル情報の設定操作が行われたか否かを、入力信号に基づいて判断する。ステップｆ１において、ユーザによってジャンル情報の設定操作が行われたと判断したときは、ステップｆ２に進む。ステップｆ１において、ユーザによってジャンル情報の設定操作が行われていないと判断したときは、ステップｆ３に進む。
【００９９】
ステップｆ２では、ユーザによって入力された１つまたは複数の所望のジャンル情報をＲＡＭ２３に記憶し、処理を終了する。ユーザによって入力されたジャンル情報が複数の場合は、ジャンル情報テーブルを作成して、ＲＡＭ２３に記憶する。ステップｆ３では、ユーザによって受信放送局の設定操作が行われたか否かを、入力信号に基づいて判断する。
【０１００】
ステップｆ３において、ユーザによって受信放送局の設定操作が行われたと判断したときは、ステップｆ４に進む。ステップｆ３において、ユーザによって受信放送局の設定操作が行われていないと判断したときは、ステップｆ５に進む。
【０１０１】
ステップｆ４では、ユーザが送信周波数リストを参照するなどして設定操作した放送局を受信するような受信回路の設定を行い、所望のデジタル放送波を受信する状態にして、処理を終了する。ステップｆ５では、ユーザの操作に応じた処理を行い、処理を終了する。
【０１０２】
前述のように図７に示すフローチャートに従った処理などによって、デジタル放送波を受信した後に、後述する図８に示すフローチャートの手順に従って放送局の切替え動作が、デジタル放送波の受信中繰返し行われる。
【０１０３】
図８は、デジタル放送受信装置１における放送局の切替え動作の一例を示すフローチャートである。ステップｇ１では、放送局から送信されるデジタル放送波の受信状態およびデジタル放送波を送信する放送局の番組の放送状態を監視する。ステップｇ２では、デジタル放送波の受信状態が劣化して、たとえば映像劣化および音声劣化が生じたか否かまたは受信中のデジタル放送波を送信する放送局が提供する番組が終了したか否かを判断する。
【０１０４】
ステップｇ２において、デジタル放送波の受信状態が劣化していないと判断し、かつ受信中のデジタル放送波を送信する放送局が提供する番組が終了していないと判断したときは、ステップｇ１に戻る。ステップｇ２において、デジタル放送波の受信状態が劣化または受信中のデジタル放送波を送信する放送局が提供する番組が終了したと判断したときは、ステップｇ３に進む。
【０１０５】
ステップｇ３では、送信周波数リストを参照して、前記リストの各送信周波数のデジタル放送波を逐次受信し、受信可能なデジタル放送波を検索する。検索中は、たとえば「受信可能なデジタル放送波を検索中です」などのメッセージを、メインディスプレイ５およびサブディスプレイ６に表示することによって、検索中であることをユーザに提示する。
【０１０６】
ステップｇ４では、受信中のデジタル放送波と同一のサービス形式種別の番組を提供し、かつ受信可能なデジタル放送波であって、予めＲＡＭ２３に記憶されたジャンル情報テーブルのジャンル情報の番組を提供するデジタル放送波が検索されたか否かを判断する。ここで、サービス形式種別は、たとえば映像を放送するテレビジョン放送、音声を放送するラジオ放送およびデータを放送するデータ放送などの放送形態である。
【０１０７】
ステップｇ４において、受信中のデジタル放送波と同一のサービス形式種別の番組を提供するデジタル放送波が検索されないと判断したとき、または受信可能なデジタル放送波であって、予めＲＡＭ２３に記憶されたジャンル情報テーブルのジャンル情報の番組を提供するデジタル放送波が検索されないと判断したときは、ステップｇ５に進む。ステップｇ４において、受信中のデジタル放送波と同一のサービス形式種別の番組を提供し、かつ受信可能なデジタル放送波であって、予めＲＡＭ２３に記憶されたジャンル情報テーブルのジャンル情報の番組を提供するデジタル放送波が検索されたと判断したときは、ステップｇ６に進む。
【０１０８】
ステップｇ５では、元のデジタル放送波を送信する放送局へ戻して、ステップｇ１１に進む。ステップｇ６では、前述のステップｇ４において検索された前記デジタル放送波の番組情報の一覧表（以下、「受信可能チャンネルリスト」と表記する場合がある）を作成してＲＡＭ２３に記憶する。以下の説明において、受信可能チャンネルリストは、たとえばジャンル情報、サービス形式種別ならびにジャンル情報およびサービス形式種別に基づく番組を提供する放送局に関する情報を含む番組情報の一覧表である。前記放送局に関する情報は、たとえばジャンル情報およびサービス形式種別に基づく番組を提供する放送局のチャンネル番号である。
【０１０９】
ステップｇ７では、送信周波数リストに含まれるすべての送信周波数のデジタル放送波に対して、受信可能なデジタル放送波の検索が終了したか否かを判断する。ステップｇ７において、前記すべての送信周波数のデジタル放送波に対して、受信可能なデジタル放送波の検索が終了したと判断したときは、ステップｇ８に進む。ステップｇ７において、前記すべての送信周波数のデジタル放送波に対して、受信可能なデジタル放送波の検索が終了していないと判断したときは、ステップｇ３に戻り、前記送信周波数リストの未検索のデジタル放送波について、受信可能なデジタル放送波の検索処理を行う。
【０１１０】
ステップｇ８では、受信可能チャンネルリストの番組情報を、ＥＰＧ機能を用いて、メインディスプレイ５およびサブディスプレイ６の少なくとも一方のディスプレイに表示することによって、ユーザに提示する。ステップｇ９では、ユーザは提示された受信可能チャンネルリストの番組情報を参照して、所望のジャンル情報およびサービス形式種別に基づく番組を提供する放送局のチャンネル番号を選択し、選択したチャンネル番号を、リモコン２６を用いて入力する。ステップｇ１０では、前述のステップｇ９においてユーザによって入力されたチャンネル番号の放送局へ切替える。ステップｇ１１では、切替え先の放送局から送信されるデジタル放送波を受信し、放送局から提供される番組をメインディスプレイ５およびサブディスプレイ６に表示して、処理を終了する。
【０１１１】
前述のように本実施形態によれば、ユーザは、提示される受信可能チャンネルリストの番組情報を参照して、所望のジャンル情報およびサービス形式種別に基づく番組を提供する放送局のチャンネル番号を選択し、選択したチャンネル番号を、リモコン２６を用いて入力する。ＣＰＵ２１は、受信中のデジタル放送波を送信する放送局から、ユーザによって入力されたチャンネル番号の放送局へ切替える。前述のように、ジャンル情報、サービス形式種別およびデジタル放送波のチャンネル番号を含む受信可能チャンネルリストがユーザに提示されるので、ユーザは、所望のジャンル情報およびサービス形式種別に基づくチャンネル番号を選択して入力手段に入力することができる。したがって、ユーザは簡単な入力操作を行うことによって、所望のジャンル情報およびサービス形式に基づく番組を提供する放送局に自動的に切替えられるので、容易に所望のジャンル情報およびサービス形式に基づく番組を視聴することができる。
【０１１２】
図９は、デジタル放送受信装置１におけるユーザの操作に対する操作処理の一例を示すフローチャートである。なお、デジタル放送受信装置１におけるユーザの操作に対する操作処理は、ユーザによる操作が行われたときに実行される。
【０１１３】
ステップｈ１では、ユーザによってジャンル情報の設定操作が行われたか否かを、入力信号に基づいて判断する。ステップｃ１において、ユーザによってジャンル情報の設定操作が行われたと判断したときは、ステップｈ２に進む。ステップｈ１において、ユーザによってジャンル情報の設定操作が行われていないと判断したときは、ステップｈ３に進む。
【０１１４】
ステップｈ２では、ユーザによって入力された１つまたは複数の所望のジャンル情報をＲＡＭ２３に記憶し、処理を終了する。ユーザによって入力されたジャンル情報が複数の場合は、ジャンル情報テーブルを作成して、ＲＡＭ２３に記憶する。ステップｈ３では、ユーザによって受信可能なデジタル放送波の最大数の設定操作が行われたか否かを、入力信号に基づいて判断する。
【０１１５】
ステップｈ３において、ユーザによって受信可能なデジタル放送波の最大数の設定操作が行われたと判断したときは、ステップｈ４に進む。ステップｈ３において、ユーザによって受信可能なデジタル放送波の最大数の設定操作が行われていないと判断したときは、ステップｈ５に進む。
【０１１６】
ステップｈ４では、ユーザによって入力された受信可能なデジタル放送波の最大数をＲＡＭ２３に記憶する。ステップｈ５では、ユーザによって受信放送局の設定操作が行われたか否かを、入力信号に基づいて判断する。
【０１１７】
ステップｈ５において、ユーザによって受信放送局の設定操作が行われたと判断したときは、ステップｈ６に進む。ステップｈ５において、ユーザによって受信放送局の設定操作が行われていないと判断したときは、ステップｈ７に進む。
【０１１８】
ステップｈ６では、ユーザが送信周波数リストを参照するなどして設定操作した放送局を受信するような受信回路の設定を行い、所望のデジタル放送波を受信する状態にして、処理を終了する。ステップｈ７では、ユーザの操作に応じたその他の処理を行い、処理を終了する。
【０１１９】
前述のように図９に示すフローチャートに従った処理などによって、デジタル放送波を受信した後に、後述する図１０に示すフローチャートの手順に従って放送局の切替え動作が、デジタル放送波の受信中繰返し行われる。
【０１２０】
図１０は、デジタル放送受信装置１における放送局の切替え動作の一例を示すフローチャートである。ステップｋ１では、放送局から送信されるデジタル放送波の受信状態およびデジタル放送波を送信する放送局の番組の放送状態を監視する。ステップｋ２では、デジタル放送波の受信状態が劣化して、たとえば映像劣化および音声劣化が生じたか否かまたは受信中のデジタル放送波を送信する放送局が提供する番組が終了したか否かを判断する。
【０１２１】
ステップｋ２において、デジタル放送波の受信状態が劣化していないと判断し、かつ受信中のデジタル放送波を送信する放送局が提供する番組が終了していないと判断したときは、ステップｋ１に戻る。ステップｋ２において、デジタル放送波の受信状態が劣化または受信中のデジタル放送波を送信する放送局が提供する番組が終了したと判断したときは、ステップｋ３に進む。
【０１２２】
ステップｋ３では、送信周波数リストを参照して、前記リストの各送信周波数のデジタル放送波を逐次受信し、受信可能なデジタル放送波を検索する。検索中は、たとえば「受信可能なデジタル放送波を検索中です」などのメッセージを、メインディスプレイ５およびサブディスプレイ６に表示することによって、検索中であることをユーザに提示する。
【０１２３】
ステップｋ４では、受信中のデジタル放送波と同一のサービス形式種別の番組を提供し、かつ受信可能なデジタル放送波であって、予めＲＡＭ２３に記憶されたジャンル情報テーブルのジャンル情報の番組を提供するデジタル放送波が検索されたか否かを判断する。ここで、サービス形式種別は、たとえば映像を放送するテレビジョン放送、音声を放送するラジオ放送およびデータを放送するデータ放送などの放送形態である。
【０１２４】
ステップｋ４において、受信中のデジタル放送波と同一のサービス形式種別の番組を提供するデジタル放送波が検索されないと判断したとき、または受信可能なデジタル放送波であって、予めＲＡＭ２３に記憶されたジャンル情報テーブルのジャンル情報の番組を提供するデジタル放送波が検索されないと判断したときは、ステップｋ５に進む。ステップｋ４において、受信中のデジタル放送波と同一のサービス形式種別の番組を提供し、かつ受信可能なデジタル放送波であって、予めＲＡＭ２３に記憶されたジャンル情報テーブルのジャンル情報の番組を提供するデジタル放送波が検索されたと判断したときは、ステップｋ６に進む。
【０１２５】
ステップｋ５では、元のデジタル放送波を送信する放送局へ戻して、ステップｋ１１に進む。ステップｋ６では、前述のステップｋ４において検索された前記デジタル放送波の番組情報に基づいて、受信可能チャンネルリストを作成してＲＡＭ２３に記憶する。
【０１２６】
ステップｋ７では、前述のステップｋ４において検索された前記デジタル放送波の数が、予めユーザによって入力され、ＲＡＭ２３に記憶された受信可能なデジタル放送波の最大数以上か否かを判断する。
【０１２７】
ステップｋ７において、検索された前記デジタル放送波の数が、予めＲＡＭ２３に記憶された受信可能なデジタル放送波の最大数未満であると判断したときは、ステップｋ３に戻り、前述と同様の処理を繰返し行う。
【０１２８】
ステップｋ７において、検索された前記デジタル放送波の数が、予めＲＡＭ２３に記憶された受信可能なデジタル放送波の最大数以上であると判断したときは、ステップｋ８に進む。
【０１２９】
ステップｋ８では、受信可能チャンネルリストの番組情報を、ＥＰＧ機能を用いて、メインディスプレイ５およびサブディスプレイ６の少なくとも一方のディスプレイに表示することによって、ユーザに提示する。ステップｋ９では、ユーザは提示された受信チャンネルリストの番組情報を参照して、所望のジャンル情報およびサービス形式種別に基づく番組を提供する放送局のチャンネル番号を選択し、選択したチャンネル番号を、リモコン２６を用いて入力する。ステップｋ１０では、前述のステップｋ９においてユーザによって入力されたチャンネル番号の放送局へ切替える。ステップｋ１１では、切替え先の放送局から送信されるデジタル放送波を受信し、放送局から提供される番組をメインディスプレイ５およびサブディスプレイ６に表示して、処理を終了する。
【０１３０】
前述のように本実施形態によれば、ＲＡＭ２３に記憶されるジャンル情報の番組を提供する放送局から送信されるデジタル放送波のうち、受信可能であると判断される前記デジタル放送波の数が、予めユーザによって入力されるデジタル放送波の最大数以上になったときに、前記デジタル放送波の受信可能であるか否かの判断の実行を終了させる。このように、受信可能であると判断されるデジタル放送波の数の最大数を予め設定しておくことによって、受信可能であるか否かの判断時間を短縮することができ、比較的短時間に放送局の切替えを行うことができる。これによって、ユーザは即座に新たな番組を視聴することができる。
【０１３１】
前述の実施形態のデジタル放送受信装置１は、ユーザによってリモコン２６を用いて入力されるジャンル情報の番組を提供する放送局へ切替える第１モードと、放送局の切替えを行わずに、予め定める放送局から送信されるデジタル放送波のみを受信する第２モードとを切替えてそれぞれの動作を実行するように構成される。具体的には、たとえば第１モードの動作を実行するための有効キーと、第２モードの動作を実行するための無効キーとをリモコン２６に設ける。これによって、ユーザは、リモコン２６を操作することによって、第１および第２モードの切替えを行うことができる。ユーザによって有効キーが押下されると、たとえば受信状態が劣化した場合に、放送局の切替えが自動的に実行される。無効キーが押下されると、たとえば受信状態が劣化した場合でも、放送局の切替えを実行せずに、引続き放送局から送信されるデジタル放送波を受信する。このように、デジタル放送受信装置１は、前述の２種類のモードを、目的に応じて切替えて使うことができ、利便性が向上する。
【０１３２】
また、デジタル放送受信装置１において、放送局の切替え動作は、図３、図５、図６、図８および図１０のフローチャートに示す放送局の切替え動作例のいずれかに基づいて実行される。本実施形態のデジタル放送受信装置１は、予め放送局の切替え動作の複数の態様をユーザに提示し、ユーザによって所望の切替え動作の態様の情報が入力可能に構成される。
【０１３３】
ユーザがリモコン２６を用いて、前記切替え動作の態様の情報を入力すると、ユーザによって入力された切替え動作の態様の情報に基づいて、放送局の切替えが実行される。したがって、ユーザは簡単な入力操作を行うだけで、所望の切替え動作の態様に基づく放送局の切替えを容易に実行することができる。
【０１３４】
また、本発明の他の実施形態では、図２、図４、図７および図９に示すデジタル放送受信装置１におけるユーザの操作に対する操作処理と、図３、図５、図６、図８および図１０に示すデジタル放送受信装置１における放送局の切替え動作処理とを、適宜組合せて構成した場合でも、好適に実施することができる。
【０１３５】
前述の実施形態では、図３、図５、図６、図８および図１０に示すフローチャートにおけるステップｂ３，ｄ３，ｅ３，ｇ３，ｋ３のように、送信周波数リストを参照して各送信周波数のデジタル放送波を逐次受信し、受信可能なデジタル放送波を検索する。ＣＰＵ２１によって、受信可能なデジタル放送波が検索された場合は、検索されたデジタル放送波の中に、予めＲＡＭ２３に記憶されたジャンル情報の番組を提供するデジタル放送波が含まれているか否かを判断しているが、本発明の他の実施形態では、前述の判断を行わずに、最初に受信可能であると判断されたジャンル情報の番組を提供する放送局へ自動的に切替えるようにしてもよい。このように、最初に受信可能であると判断されたジャンル情報の番組を提供する放送局へ自動的に切替えることによって、比較的短時間に放送局の切替えを行うことができる。これによって、ユーザは即座に所望の番組を視聴することができ、利便性が向上する。
【０１３６】
また、前述の実施形態では、図３、図５、図６、図８および図１０に示すフローチャートにおけるステップｂ４，ｄ４，ｅ４，ｇ４，ｋ４のように、受信中のデジタル放送波と同一のサービス形式種別であることを、受信可能なデジタル放送波の検索条件に含めているが、本発明の他の実施形態では、前述の条件を検索条件に含めなくてもよい。すなわち、本発明の他の実施形態のデジタル放送受信装置１を、受信中のデジタル放送波を送信する放送局が提供する番組のサービス形式種別とは異なるサービス形式種別の番組を提供する放送局へ切替え可能に構成する。これによって、受信中のデジタル放送波を送信する放送局が提供する番組のサービス形式種別とは異なるサービス形式種別の番組を提供する放送局へ切替えることができる。
【０１３７】
したがって、受信中の番組と同一のジャンル情報で、かつサービス形式種別が異なる番組が他の放送局から提供されており、前記他の放送局から送信されるデジタル放送波を受信可能な場合には、前記サービス形式種別が異なる番組を提供している他の放送局へ切替えることができる。これによって、ユーザは受信中の番組と同一のジャンル情報で、かつサービス形式種別が異なる番組を視聴することができ、利便性が向上する。
【０１３８】
前述の実施形態のデジタル放送受信装置１は、アンテナ２およびチューナ１１を含む受信系統を１つ備えて構成しているが、本発明の他の実施形態のデジタル放送受信装置では、複数の受信系統を備える構成でも好適に実施することができる。
【０１３９】
【発明の効果】
以上のように本発明によれば、ユーザは、デジタル放送波の受信状態が劣化して番組の視聴が困難になった場合または受信中の番組が終了して別の番組を視聴する場合に、所望の番組を提供している放送局へ切替える設定操作を手動で行う必要がないので、操作の手間を省くことができる。これによって、ユーザは容易かつ即座に所望の番組を視聴することができ、利便性が向上する。
【０１４０】
また本発明によれば、ユーザは、所望の番組を提供している放送局へ切替える設定操作を手動で行う必要がないので、操作の手間を省くことができる。また、切替手段は、受信中のデジタル放送波を送信する放送局から、予めユーザによって入力手段に入力されるジャンル情報の番組を提供する放送局へ切替えるだけでよいので、比較的短時間に放送局の切替えを行うことができる。これによって、ユーザは容易かつ即座に所望の番組を視聴することができ、利便性が向上する。
【０１４１】
また本発明によれば、判断手段によって最初に受信可能であると判断されたジャンル情報の番組を提供する放送局へ自動的に切替えられるので、比較的短時間に放送局の切替えを行うことができる。これによって、ユーザは即座に所望の番組を視聴することができ、利便性が向上する。
【０１４２】
また本発明によれば、ユーザは簡単な入力操作を行うだけで、所望のジャンル情報およびサービス形式の番組を提供する放送局に自動的に切替えられるので、容易に所望の番組を視聴することができる。
【０１４３】
また本発明によれば、ユーザは簡単な入力操作を行うだけで、所望の放送形態の番組を提供する放送局に自動的に切替えられるので、容易に所望の放送形態の番組を視聴することができる。
【０１４４】
また本発明によれば、ユーザは簡単な入力操作を行うだけで、所望の切替え動作の態様に基づく放送局の切替えを容易に実行することができる。
【０１４５】
また本発明によれば、デジタル放送受信装置は、２種類のモードを、目的に応じて切替えて使うことができ、利便性が向上する。
【０１４６】
また本発明によれば、ユーザは受信中の番組と同一のジャンル情報で、かつサービス形式種別が異なる番組を視聴することができ、利便性が向上する。
【０１４７】
また本発明によれば、判断手段による受信可能であるか否かの判断時間を短縮することができ、比較的短時間に放送局の切替えを行うことができる。これによって、ユーザは即座に新たな番組を視聴することができる。
【図面の簡単な説明】
【図１】本発明の実施の一形態であるデジタル放送受信装置１の電気的構成を示すブロック図である。
【図２】デジタル放送受信装置１におけるユーザの操作に対する操作処理の一例を示すフローチャートである。
【図３】デジタル放送受信装置１における放送局の切替え動作の一例を示すフローチャートである。
【図４】デジタル放送受信装置１におけるユーザの操作に対する操作処理の一例を示すフローチャートである。
【図５】デジタル放送受信装置１における放送局の切替え動作の一例を示すフローチャートである。
【図６】デジタル放送受信装置１における放送局の切替え動作の一例を示すフローチャートである。
【図７】デジタル放送受信装置１におけるユーザの操作に対する操作処理の一例を示すフローチャートである。
【図８】デジタル放送受信装置１における放送局の切替え動作の一例を示すフローチャートである。
【図９】デジタル放送受信装置１におけるユーザの操作に対する操作処理の一例を示すフローチャートである。
【図１０】デジタル放送受信装置１における放送局の切替え動作の一例を示すフローチャートである。
【符号の説明】
１  デジタル放送受信装置
２  アンテナ
３  受信機
４  スピーカ
５  メインディスプレイ
６  サブディスプレイ
１１  チューナ
１２  復調部
１３  ＴＳデコード
１４  音声デコード
１５  映像デコード
１６  提示処理部
２０  システムバス
２１  ＣＰＵ（Ｃｅｎｔｒａｌ  Ｐｒｏｃｅｓｓｉｎｇ  Ｕｎｉｔ）
２２  ＲＯＭ（Ｒｅａｄ  Ｏｎｌｙ  Ｍｅｍｏｒｙ）
２３  ＲＡＭ（Ｒａｎｄｏｍ  Ａｃｃｅｓｓ  Ｍｅｍｏｒｙ）
２４  Ｉ／Ｏ（Ｉｎｐｕｔ／Ｏｕｔｐｕｔ）
２５  モデム
２６  リモコン
【図１】
2004320638.tif 000003
【図２】
2004320638.tif 000004
【図３】
2004320638.tif 000005
【図４】
2004320638.tif 000006
【図５】
2004320638.tif 000007
【図６】
2004320638.tif 000008
【図７】
2004320638.tif 000009
【図８】
2004320638.tif 000010
【図９】
2004320638.tif 000011
【図１０】
2004320638.tif 000012